(57)【特許請求の範囲】
【請求項１】
セッションに参加したセッション開始側を担当するスーパーノードと、セッション受信側を担当するスーパーノードとの少なくとも一方の課金情報を取得し、セッションに参加した転送ノードの課金情報を取得し、
前記転送ノードの課金情報と、前記セッション開始側を担当するスーパーノード及びセッション受信側を担当するスーパーノードとの少なくとも一方との課金情報の一致性を審査し、
審査結果と前記転送ノードの課金情報により、前記転送ノードの貢献値を計算する、
ことを含むことを特徴とする一種の転送ノード貢献値の取得方法。
【請求項２】
前記課金情報はセッション時間長と／又はネットワークトラフィックを含むことを特徴とする請求項１記載の転送ノード貢献値の取得方法。
【請求項３】
前記課金情報はセッション開始側、セッション受信側、セッション開始時刻、セッション終了時刻とセッションシリアル番号の中の一つ又は最低二つの任意の組み合わせを含むことを特徴とする請求項２記載の転送ノード貢献値の取得方法。
【請求項４】
前記審査結果と前記転送ノードの課金情報により、前記転送ノードの貢献値を計算するステップは、
前記転送ノードの課金情報と、前記セッション開始側を担当するスーパーノード及びセッション受信側を担当するスーパーノードとの少なくとも一方との課金情報が一致している場合、前記転送ノードの課金情報に含まれたセッション時間長と／又はネットワークトラフィックにより、前記転送ノードの貢献値を計算し、
前記転送ノードの課金情報と、前記セッション開始側を担当するスーパーノード及びセッション受信側を担当するスーパーノードとの少なくとも一方との課金情報が一致していない場合、転送ノードの課金情報を前記転送ノード貢献値の計算根拠としない、
ことを含むことを特徴とする請求項２記載の転送ノード貢献値の取得方法。
【請求項５】
前記転送ノードの課金情報と前記信頼ノードの課金情報の一致性を審査するステップの前、又、前記セッション開始側を担当するスーパーノードと、セッション受信側を担当するスーパーノードの課金情報との少なくとも一方と前記転送ノードの課金情報はフォーマットが一致していない場合、前記セッション開始側を担当するスーパーノードと、セッション受信側を担当するスーパーノードとの少なくとも一方の課金情報と前記転送ノードの課金情報を統一的なフォーマットに変換する、
ことを含むことを特徴とする請求項１から４のいずれかに記載の転送ノード貢献値の取得方法。
【請求項６】
前記セッションに参加した転送ノードの課金情報を取得するステップは、具体的に
前記転送ノードより送信された課金要請メッセージにより、前記転送ノードの課金情報を取得し、又は、ＦＴＰ方式により前記転送ノードの課金情報を取得する、
ことを含むことを特徴とする請求項１から４のいずれかに記載の転送ノード貢献値の取得方法。
【請求項７】
前記セッションに参加したセッション開始側を担当するスーパーノードと、セッション受信側を担当するスーパーノードとの少なくとも一方の課金情報を取得するステップは具体的に、
前記セッション開始側を担当するスーパーノードと、セッション受信側を担当するスーパーノードとの少なくとも一方より送信された課金要請メッセージにより、前記セッション開始側を担当するスーパーノードと、セッション受信側を担当するスーパーノードとの少なくとも一方の課金情報を取得し、
又は、ＦＴＰ方式により前記セッション開始側を担当するスーパーノードと、セッション受信側を担当するスーパーノードの課金情報を取得する、
ことを含むことを特徴とする請求項１から４のいずれかに記載の転送ノード貢献値の取得方法。
【請求項８】
セッションに参加したセッション開始側を担当するスーパーノードと、セッション受信側を担当するスーパーノードとの少なくとも一方の課金情報と転送ノードの課金情報を取得する取得モジュールと、
前記転送ノードの課金情報と、前記セッション開始側を担当するスーパーノード及びセッション受信側を担当するスーパーノードとの少なくとも一方との課金情報の一致性を審査する審査モジュールと、
審査結果と前記転送ノードの課金情報により、転送ノードの貢献値を計算する計算モジュールと
を含むことを特徴とする一種の転送ノード貢献値の取得装置。
【請求項９】
前記信セッション開始側を担当するスーパーノードと、セッション受信側を担当するスーパーノードとの少なくとも一方の課金情報と前記転送ノードの課金情報はフォーマットが一致していない場合、前記セッション開始側を担当するスーパーノードと、セッション受信側を担当するスーパーノードとの少なくとも一方の課金情報と前記転送ノードの課金情報を統一的なフォーマットに変換する変換モジュールを更に含むことを特徴とする請求項８記載の転送ノード貢献値の取得装置。
【発明の詳細な説明】
【技術分野】
【０００１】
本発明はインターネット技術領域に関し、特に転送ノード貢献値の取得方法及び装置に関わっている。
【背景技術】
【０００２】
複雑なネットワーク条件において、ネットワーク品質の原因で、通話ノードの間はスムーズな通話を維持できないことが良くある。上記の場合、通話品質を向上させるため、システムに転送メカニズムを採用し、ネットワーク内の他のノードを通話両側の転送ノードとして選択し、トラフィックの転送を実現することができる。Ｐ２Ｐシステムにおける直接接続できない場合、又は、接続効果がサービス要求に満足できない（例えば、遅延が長すぎる）場合に対しても、転送メカニズムを採用して対応なサービスを実現する必要もある。具体的な方法は以下を示す。
【０００３】
（１）グローバルＴｒａｃｋｅｒサーバを設置し、全てのアクティブ・スーパーノード（Ｓｕｐｅｒ Ｎｏｄｅ）と端末ノードの状態情報を記録し、課金などのサービスに対応する一方、転送ノードの調達に用いる。直接接続できない場合、又は接続効果が基本サービスの要求に満足できない場合、ＴｒａｃｋｅｒサーバはグローバルＳｕｐｅｒ Ｎｏｄｅの負荷情報及び端末ノードのＬａｎｄｍａｒｋ配布（ＧＵＩＤ値）により、適当なＳｕｐｅｒ Ｎｏｄｅ又は端末ノードを調達し、転送サービスを要請するノードに提供して利用させる。
【０００４】
（２）ＳｕｐｅｒＮｏｄｅで転送する。通話両側（例えば、ＵＥ  ＢｏｂとＵＥ  Ａｌｉｃｅが通話する場合）に対して、全て又は一部のＳｕｐｅｒ Ｎｏｄｅの中から最適な１つ（例えば、ＳＮ  Ｃ）を選択して今回のセッション転送側を担当させ、リンク接続方式はＵＥ  Ｂｏｂ ―ＳＮＣ−ＵＥ  Ａｌｉｃｅとし、逆方向にしても良い。ＵＥ  ＢｏｂとＵＥ  Ａｌｉｃｅ間のセッションデータはＳＮＣにより転送する。ＳＮＣを選択する際、転送後のパスＵＥ  Ｂｏｂ ―ＳＮＣ−ＵＥ  Ａｌｉｃｅのトータルパス品質はサービス要求に満足でき、且つロードバランスを取れる前提で、好ましい結果を選択する、ということを満足すべきである。
【０００５】
（３）転送端末ノードで転送する。二つのドメイン内のノードを良く接続でき、優れたオンライン安定性及び高機能を有する一部の一般端末ノードは、転送端末ノードになる。転送端末ノードとして、定期にＴｒａｃｋｅｒサーバに対して自身の負荷情報とハートビート情報を報告する必要があり、転送機能が必要になる際、Ｔｒａｃｋｅｒサーバの調達により、一般端末ノードがセッションを開始する際、当該一般端末ノードを転送側に担当させるかどうかを判断する。
【０００６】
高音質、低コスト、完備な機能及び便利性のため、現在、Ｓｋｙｐｅ類のソフトウェアは広く利用される通信ツールとなった。Ｓｋｙｐｅでファイルを伝送する際、両側が直接接続できない場合、他のユーザのリソースによって転送することになる。普通の同類ソフトウェアは直接接続できない場合、通常、サーバにより転送するが、Ｓｋｙｐｅの場合、サーバリソースを利用しなく、ネットワークにおける他の端末ノードで転送する。
【０００７】
上記方法において、ネットワークトラフィックの転送に貢献をした一般転送ノードに対して、奨励する必要がある。その前提は一般転送ノードのトラフィック転送に対する貢献を取得することである。しかし、一般転送ノードは通常、非信頼ネットワーク環境にあるため、システム側が単独で一般転送ノードより取得した貢献情報は信頼できないかもしれない。トラフィック転送に貢献していない一般ノードがシステム側を詐欺する可能性が存在する。
【発明の概要】
【発明が解決しようとする課題】
【０００８】
本発明を実現する際、本発明の発明者は既存技術に次の問題点を見出した。転送メカニズムはインターネットで広く採用されたが、しかし、非信頼ネットワークにおける転送機能を実行したノードの貢献値を確実且つ正確に取得する方法及び装置が提出されていない。
【０００９】
本発明の目的は、転送ノードの貢献値取得の問題を解決し、転送ノード貢献値の取得方法と装置を提案し、非信頼ネットワークにおける転送ノードの貢献値を確実且つ正確に取得することにある。
【課題を解決するための手段】
【００１０】
上述目的を実現するため、本発明の一方により、一種の転送ノード貢献値の取得方法を提供し、セッションに参加した信頼ネットワーク環境における信頼ノードの課金情報を取得し、セッションに参加した非信頼ネットワーク環境における転送ノードの課金情報を取得し、転送ノード課金情報と信頼ノード課金情報の一致性を審査し、審査結果と転送ノード課金情報により、転送ノードの貢献値を計算することを含む。
【００１１】
本技術案において、課金情報はセッション時間長と／又はネットワークトラフィックを含む。審査結果と転送ノード課金情報により、転送ノードの貢献値を計算するステップは、具体的に、転送ノード課金情報と信頼ノード課金情報が一致する場合、転送ノード課金情報に含まれたセッション時間長と／又はネットワークトラフィックにより、転送ノードの貢献値を計算し、転送ノード課金情報と信頼ノードの課金情報が一致しない場合、転送ノード課金情報を転送ノード貢献値の計算根拠としない。
【００１２】
本技術案において、課金情報は又、セッション開始側、セッション受信側、セッション開始時刻、セッション終了時刻とセッションシリアル番号の中の一つ又は最低二つの任意の組み合わせを含む。
【００１３】
好ましくは、本技術案において、転送ノード課金情報と信頼ノード課金情報の一致性を審査するステップの前、又、信頼ノード課金情報と転送ノード課金情報のフォーマットが一致していない場合、信頼ノード課金情報と転送ノード課金情報を統一的なフォーマットに変換するステップを含む。
【００１４】
本技術案において、セッションに参加した非信頼ネットワーク環境における転送ノードの課金情報を取得するステップは、具体的に、転送ノードより送信された課金要請メッセージにより、転送ノード課金情報を取得し、又はＦＴＰ方式により転送ノードの課金情報を取得することを含む。
【００１５】
本技術案において、セッションに参加した信頼ネットワーク環境における信頼ノードの課金情報を取得するステップは、具体的に、信頼ノードより送信された課金要請メッセージにより、信頼ノードの課金情報を取得し、又はＦＴＰ方式により信頼ノードの課金情報を取得することを含む。
【００１６】
好ましくは、本技術案において、信頼ノードはセッションに参加したスーパーノードである。
【００１７】
好ましくは、本技術案において、スーパーノードは、少なくともセッション開始側のセッション処理を担当するスーパーノードとセッション受信側のセッション処理を担当するスーパーノードのどちらかを含む。
【００１８】
上述目的を達成するため、本発明のもう一方により、転送ノード貢献値の取得装置を提供し、セッションに参加した信頼ネットワーク環境における信頼ノードと非信頼ネットワーク環境における転送ノードの課金情報を取得する取得モジュールと、転送ノード課金情報と信頼ノード課金情報の一致性を審査する審査モジュールと、転送ノード課金情報と信頼ノード課金情報が一致する場合、転送ノード課金情報により、転送ノードの貢献値を計算する計算モジュールとを含む。
【００１９】
好ましくは、本技術案において、転送ノード貢献値の取得装置は又、信頼ノード課金情報と転送ノード課金情報のフォーマットが一致していない場合、信頼ノード課金情報と転送ノード課金情報を統一的なフォーマットに変換する変換モジュールを含むことができる。
【００２０】
本発明に係る各実施形態における転送ノード貢献値の取得方法及び装置は、信頼ネットワーク環境における信頼ノードの課金情報と非信頼ネットワーク環境における転送ノードの課金情報を関連付けることにより、提供された課金情報が一致している場合、転送ノードの課金情報が信頼できるものと判断する。そのため、本発明に係る各実施形態は、非信頼ネットワーク環境における転送ノードの貢献値を確実且つ正確に取得することを保証でき、そして、転送機能に貢献をしたノードに対して奨励の根拠を提供する。本発明の他の特性と利点は次に記述し、一部は本明細書から明らかになるし、又は、本発明を実施することにより理解できる。本発明の目的と他の利点は、明細書、特許請求の範囲及び図面に特別に示された構造により実現・取得できる。
【図面の簡単な説明】
【００２１】
以下は附図と実施例を結合して本発明の技術案を詳細に説明する。
【００２２】
図面は本明細書の一部を構成し、本発明の実施形態を図示したものであり、本発明の実施形態と共に本発明を解釈するが、本発明の制限にはならない。
【図１】本発明に係る第一の実施形態において、転送ノード貢献値の取得方法のフロー図である。
【図２】本発明に係る第二の実施形態において、転送ノード貢献値の取得方法のフロー図である。
【図３】本発明に係る第三の実施形態において、転送ノード貢献値の取得装置のイメージを示す図である。
【００２３】
図面を関連して、図面に以下の標識を標記する。
３０２−取得モジュール、３０４−審査モジュール、３０６−計算モジュール、
３０８−変換モジュール。
【発明を実施するための形態】
【００２４】
以下は図面を結合して本発明に係る実施形態を説明するが、ここで記述した実施形態は本発明の説明と解釈のみに用いるが、本発明の制限にはならない。
【００２５】
第一の実施形態
【００２６】
本実施形態及び以下の各実施形態において、信頼ノードは信頼ネットワーク環境に位置し、転送ノードは非信頼ネットワーク環境に位置することを前提とする。図１は本発明に係る第一の実施形態における転送ノード貢献値の取得方法のフロー図である。図１に示すように、本実施形態は、
セッションに参加した信頼ノードの課金情報を取得するステップＳ１０２と、
セッションに参加した転送ノードの課金情報を取得するステップＳ１０４と、
転送ノード課金情報と信頼ノード課金情報が一致するかどうかを判断し、一致する場合、ステップＳ１０８を、逆の場合、ステップＳ１１０を実行するステップＳ１０６と、
転送ノード課金情報により、転送ノードの貢献値を計算し、フローを終了するステップＳ１０８と、
転送ノード課金情報が信頼できないもので、転送ノード貢献値の計算根拠とはならないと判断し、フローを終了するステップＳ１１０と、
を含む。
【００２７】
本実施形態において、課金情報はセッション時間長と／又はネットワークトラフィックを含み、ネットワークトラフィックは、セッションが利用するコーデック原理により推測し、又、実際の測定により取得でき、セッション時間長はセッション開始時刻、セッション終了時刻により表示できる。又、課金情報は更に、セッション開始側、セッション受信側、セッション開始時刻、セッション終了時刻、セッションシリアル番号等の情報を含むことができる。
【００２８】
本実施形態において、システムは転送ノード課金情報に記録されたセッション時間長と／又はネットワークトラフィックにより、転送ノードの貢献値を計算し、例えば、転送時間長が１０時間になれば、１貢献値を取得し、又は、転送ネットワークトラフィックが１００Ｍになれば、１貢献値を取得するように規定し、或いは特定なルールで貢献値を計算する。
【００２９】
本実施形態において、「転送ノード課金情報と信頼ノード課金情報が一致するかどうかを判断する」ステップにおける「一致」は、予め設定された指標が同じ、関連指標の計算結果が同じ、又は誤差が予め設定された範囲内にあることを指す。
【００３０】
本実施形態において、転送ノード課金情報と信頼ノード課金情報が一致するかどうかを判断する際、システムに予め設定された幾つかの対応指標を確認し、例えば、システムにセッション開始側、セッション受信側、セッション時間長という三つの指標に対して確認するように予め設定しておく。その場合、信頼ノード課金情報と転送ノード課金情報に含まれた上述三つの指標ともに一致する場合、転送ノード課金情報が信頼できるものと判断し、上述した課金情報により転送ノードの貢献値を計算する。
【００３１】
本実施形態において、信頼ノード課金情報と転送ノード課金情報が一致しているため、転送ノード課金情報で貢献値を計算するが、信頼ノード課金情報で貢献値を計算することと本質的に同じであり、全て本発明の保護範囲内に含まれるべきである。
【００３２】
本実施形態において、信頼ノードはセッションに参加したスーパーノードであっても良いが、具体的に、セッション開始側のセッション処理を担当するＳｕｐｅｒ Ｎｏｄｅとセッション受信側のセッション処理を担当するＳｕｐｅｒ Ｎｏｄｅであり、又は、両者のどちらかであっても良い。
【００３３】
本実施形態において、課金センターは信頼ノードと／又は転送ノードより送信された課金要請メッセージ（Ａｃｃｏｕｎｔｉｎｇ  Ｒｅｑｕｅｓｔ、ＡＣＲメッセージと略称する）により、課金情報を取得できる。又、ＦＴＰ方式で課金情報を取得しても良い。
【００３４】
本実施形態において、信頼ノードと転送ノードの課金情報提出方式が一致しなく、或いは他の原因で、課金情報のフォーマットが一致しない場合、課金センターは又、二者を統一的なフォーマットに変換してから、課金情報の一致性を判断することができる。例えば、転送ノード課金情報に記入されたのは転送時間長で、Ｓｕｐｅｒ Ｎｏｄｅ課金情報に記入されたのはセッション開始時刻・セッション終了時刻である場合、システムは予めの設置により、Ｓｕｐｅｒ Ｎｏｄｅの通話時間長を計算し、転送ノードより報告された転送時間長と比較して、転送ノードより報告された課金情報が信頼できるかどうかを判断する。
【００３５】
本実施形態に係る方法は転送ノード貢献値を取得する際、セッションに参加した信頼ノードと転送ノードの課金情報を比較し、二者が一致している場合、転送ノードの課金情報が信頼できるものと判断し、転送ノード課金情報により転送ノードの貢献値を計算する。本実施形態に係る方法は、非信頼のネットワーク環境における転送ノードに対して、転送ノードの貢献値を確実且つ正確に取得することを保証し、課金センターが偽の転送ノード貢献に騙されることを防止する。
【００３６】
第二の実施形態
【００３７】
本実施形態は転送ノードの課金シグナリングのフローを詳細に記述する。本実施形態に係る設備は、ユーザー設備Ａ (Ｕｓｅｒ  Ｅｑｕｉｐｍｅｎｔ  Ａ、ＵＥ  Ａと略称）、Ｓｕｐｅｒ Ｎｏｄｅ  Ａ （ＵＥ  Ａのセッション処理を担当する）、転送ノード（Ｒｅｌａｙ  Ｎｏｄｅ）、ユーザー設備Ｂ (Ｕｓｅｒ  Ｅｑｕｉｐｍｅｎｔ  Ｂ、ＵＥ  Ｂと略称）、Ｓｕｐｅｒ Ｎｏｄｅ  Ｂ（ＵＥ  Ｂのセッション処理を担当する）、課金データ機能センター（Ｃｈａｒｇｉｎｇ  Ｄａｔａ  Ｆｕｎｃｔｉｏｎ、ＣＤＦと略称）を含む。図２は本発明に係る第二の実施形態における転送ノード貢献値の取得方法のフロー図である。図２に示すように、本実施形態は、
ユーザーＡがユーザーＢに対して発信したい場合、ＵＥ  ＡがＵＥ  Ａのセッション処理を担当するＳｕｐｅｒ  Ｎｏｄｅ  Ａに対してＩＮＶＩＴＥメッセージを送信するステップＳ２０２と、
ＳｕｐｅｒＮｏｄｅＡはＰ２Ｐ  ＯｖｅｒｌａｙによりＵＥ  Ｂが位置するＳｕｐｅｒＮｏｄｅ  Ｂを検索し、ＩＮＶＩＴＥ メッセージをＳｕｐｅｒ  Ｎｏｄｅ  Ｂに送信するステップＳ２０４と、
Ｓｕｐｅｒ Ｎｏｄｅ  Ｂ はＩＮＶＩＴＥ メッセージをＵＥ  Ｂに送信するステップＳ２０６と、
着呼ユーザーがオフフックした後、ＵＥ  Ｂは２００  ＯＫメッセージをＳｕｐｅｒ Ｎｏｄｅ  Ｂに送信するステップＳ２０８と、
Ｓｕｐｅｒ Ｎｏｄｅ  ＢはＳｕｐｅｒ Ｎｏｄｅ  Ａに対して２００  ＯＫメッセージを送信するステップＳ２１０と、
Ｓｕｐｅｒ Ｎｏｄｅ  ＢはＣＤＦに対してＡＣＲメッセージを送信し、課金を開始し、ＣＤＦに課金関連情報を提出するステップＳ２１２と、
Ｓｕｐｅｒ Ｎｏｄｅ  ＡはＵＥ  Ａに対して２００  ＯＫメッセージを送信するステップＳ２１４と、
Ｓｕｐｅｒ Ｎｏｄｅ  ＡはＣＤＦに対してＡＣＲメッセージを送信し、課金を開始し、ＣＤＦに課金関連情報を提出するステップＳ２１６と、
ＵＥ  ＡはＲｅｌａｙ  Ｎｏｄｅに対してＲＴＰ情報フローを送信するステップＳ２１８と、
Ｒｅｌａｙ  ＮｏｄｅはＲＴＰ情報フローをＵＥ  Ｂに転送するステップＳ２２０と、
Ｒｅｌａｙ  ＮｏｄｅはＣＤＦに対してＡＣＲメッセージを送信し、課金を開始し、ＣＤＦに課金関連情報を提出するステップＳ２２２と、
Ｒｅｌａｙ  Ｎｏｄｅの課金情報とＳｕｐｅｒ Ｎｏｄｅ  Ａ／Ｂの課金情報が一致しているかどうかを判断するステップＳ２２４と、
Ｒｅｌａｙ  Ｎｏｄｅの課金情報に含まれたセッション開始側／受信側、転送開始時刻／終了時刻、転送時間長及びネットワークトラフィックなどの指標がＳｕｐｅｒ Ｎｏｄｅ  Ａ 、Ｓｕｐｅｒ Ｎｏｄｅ Ｂ 課金情報に含まれた対応する指標−セッションの開始側／受信側、セッション開始時刻／終了時刻、セッション時間長及びネットワークトラフィック等の指標と一致する場合、今回のセッションで選択された転送ノードにより提供された課金情報が信頼できるものと判断し、課金の根拠として利用できるが、逆の場合、課金の根拠とはしない。又、詐欺を報告するか、追跡するなど他の手段を採用することになるステップＳ２２６と、
を含む。
【００３８】
本実施形態において、グローバルＴｒａｃｋｅｒサーバによる転送ノードの調達は従来技術と同じで、明らかにするため、それを図２には反映していない。Ｓｕｐｅｒ Ｎｏｄｅと／又は転送ノードが関連な課金情報を提出する際、リアルタイム課金方式を採用しても良いし、非リアルタイム課金方式を採用しても良い。非リアルタイム課金方式の場合、セッションが終了した後、Ｓｕｐｅｒ Ｎｏｄｅと／又は転送ノードは再度ＣＤＦに対してＡＣＲメッセージを送信し、全部の課金情報を提出する。上述した二種の方式はシグナリングフローにおいて少し区別があるが、全て従来技術と同じなので、ここで、説明を省略する。
【００３９】
本実施形態は第一の実施形態に基づき、実施ステップを更に具体化したものである。本実施形態に係る方法は、第一の実施形態の全ての有益効果を有し、又、より高い実施可能性を持つという利点を有する。
【００４０】
第三の実施形態
【００４１】
図３は本発明に係る第三の実施形態における転送ノード貢献値の取得装置のイメージを示す図である。図３に示すように、本実施形態はセッションに参加した信頼ネットワーク環境における信頼ノードの課金情報と、非信頼ネットワーク環境における転送ノードの課金情報を取得する取得モジュール３０２と、転送ノード課金情報と信頼ノード課金情報が一致するかどうかを審査する審査モジュール３０４と、転送ノード課金情報と信頼ノード課金情報が一致している場合、審査結果と転送ノード課金情報により転送ノードの貢献値を計算し、即ち、転送ノード課金情報と信頼ノード課金情報が一致している場合、転送ノードより報告された転送トラフィックと／又は転送時間長により、特定なルールに従い、転送ノードの貢献値を計算する計算モジュール３０６とを含む。
【００４２】
本実施形態において、転送ノード貢献値の取得装置は又、信頼ノード課金情報と転送ノード課金情報のフォーマットが一致していない場合、信頼ノード課金情報と転送ノード課金情報を統一的なフォーマットに変換する変換モジュール３０８を含むこともできる。
【００４３】
本実施形態における信頼ノードは、セッション開始側のセッション処理を担当するスーパー・ノードとセッション受信側のセッション処理を担当するスーパーノードのどちらかを含む。
【００４４】
３Ｇ応用環境に対して、本実施形態と上述した各実施形態の装置と実現フローを対応的に進化させれば良いが、全て本発明の保護範囲内に含まれるべきである。本実施形態に係る方法は第一の実施形態の関連説明を参照すれば良いし、本実施形態は第一の実施形態の全ての有益な効果を有し、ここで、説明を省略する。
【００４５】
当業者が理解できるように、上述実施形態の方法における全て又は一部のステップは、プログラムからハードウェアに指示することにより完成でき、前述プログラムは読み出し可能な記憶メディアに保存でき、当該プログラムを実行する際、上述方法の実施形態を含むステップを実行し、前述した記憶メディアはＲＯＭ、ＲＡＭ、磁気ディスク、ＣＤ、ネットワークノード、スケジューラなどのプログラムコードを保存できるメディアを含む。
【００４６】
最後に注意すべきことは、前記実施形態は本発明の技術的な解決手段の説明だけであり、技術上の制限とはならない。前述実施形態を参照して本発明を詳しく説明したが、当業者により、上述した実施形態に記述された技術的な解決手段を改造し、またはその中の一部の技術要素を置換することもできる。そのような改造と置換は本発明の各実施形態の技術の範囲から逸脱するとは見なされない。
【図１】
0005346095.tif 000002
【図２】
0005346095.tif 000003
【図３】
0005346095.tif 000004